(57)【要約】      （修正有）【課題】体型に合わせて調整が可能な背筋姿勢矯正ベルトを提供する。【解決手段】背筋矯正ベルトは、ショルダーベルト１、牽引帯２、面ファスナー３、及び背面ベルト４で構成される。ショルダーベルト１は首から左右の背面に伸びそれぞれ背面ベルト４の上端に連結され、正面で牽引帯２の一端に連結される。ショルダーベルト１には固定リング（アジャスター）を備え、面ファスナー３は背面ベルト４の下端にくっつき、牽引帯２のもう一端は面ファスナー３に設置された固定リング（アジャスター）６に通しショルダーベルト１の固定リング（アジャスター）に連結される。面ファスナー３のくっつく位置を調整することにより、姿勢調整ベルトの体への締め付け具合をコントロールすることができる。又、牽引帯を面ファスナー３の固定リング（アジャスター）６及びショルダーベルト１の固定リング（アジャスター）に通すことにより、牽引帯２の歪むことを防げる。【選択図】図１
0003227275.tif 000002
【実用新案登録請求の範囲】
【請求項１】
背筋姿勢矯正ベルトであって、ショルダーベルト（1）、牽引帯（2）、マジックテープ（
3）、及び背面ベルト（4）を含み、ショルダーベルト(1)は首から左右の背面に伸びそれ
ぞれ背面ベルト（４）の上端に連結され、正面で牽引帯の一端に連結され、ショルダーベ
ルト(1)はショルダーベルトの固定リング（５）を備え、マジックテープ(3)は背面ベルト
（４）の下端に付着し、牽引帯（２）の他の一端はマジックテープ（３）に設置されたマ
ジックテープの固定リング（６）を通じてショルダーベルトの固定リングに連結されるこ
とを特徴とする背筋姿勢矯正ベルト。
【請求項２】
マジックテープの固定リング（６）はプラスチック製であることを特徴とする請求項1に
記載の背筋姿勢矯正ベルト。
【請求項３】
背筋姿勢矯正ベルトはさらに伸長ベルト（７）を備え、伸長ベルト（７）は牽引帯（２）
と一緒に取り外し可能な状態で連結されることを特徴とする請求項1に記載の背筋姿勢矯
正ベルト。
【請求項４】
伸長ベルト（７）はマジックテープ（３）を通じて、牽引帯（２）と連結されることを特
徴とする請求項３に記載の背筋姿勢矯正ベルト。
【請求項５】
伸長ベルト（７）はマジックテープの粘着用の毛（８）を２本備えることを特徴とする請
求項３に記載の背筋姿勢矯正ベルト。
【請求項６】
牽引帯（２）の他の一端にはプラスチック製の連結部が設置されることを特徴とする請求
項1に記載の背筋姿勢矯正ベルト。
【考案の詳細な説明】
【技術分野】
【０００１】
本実用新案は、背筋姿勢を矯正するという分野に関し、特に調整可能な背筋姿勢矯正ベル
トに関する。
【背景技術】
【０００２】
今流行している姿勢矯正ベルトはほとんど針と糸を用い、裏の中の垂直部分と横向きの部
分を縫い、固定されたものである。このため、使用者は横向きの部分しか使用できない。
使用者は身につけようとして、ベルトの部分を取り外そうとしても片側が取れずに、四苦
八苦する。自分の意思でこの連結されるところの高さを調整できないので、限界性と不適
用性が出て来る。また、体型について個人差があるので、使用者は大きな違和感と窮屈な
ツッパリ感を感ずる可能性がある。
【０００３】
また、牽引帯の末端はマジックテープだから、牽引帯は横向きの部件を突き抜ける後、シ
ョルダーベルト部分のマジックテープの粘着用の毛と連結する必要がある。しかし使用す
る際に、牽引帯は長すぎると、牽引帯はサイドスリーブし、本来の位置からずれやすい。
その結果、牽引帯は脱落するリスクが高くなり、使用者も違和感を感ずやすい。そして、
適用性を増加するために、現存の産品はほとんど牽引帯が長い。小さい体型の人は使用す
る時に牽引帯が長すぎると、牽引帯の中に付着する粘着用のテープはショルダーベルトを
超え、張り付けることができない。背の低い女性、子供にとっては不適用だと考えている
。
【考案の概要】
【０００４】
本実用新案は調整できる背筋矯正ベルトを提供し、少なくとも以上の一つの技術問題を解
決することができる。
【０００５】
以上の問題を解決するために、本考案は実用新案の一面として、調整できる背筋矯正ベル
トを提供する。本考案はショルダーベルト、牽引帯、マジックテープ、及び背面ベルトで
構成される。ショルダーベルトは一つ一つ首から左右の背面に伸び、それぞれ背面ベルト
の上端に連結され、正面で牽引帯の一端に連結される。ショルダーベルトには固定リング
を備え、マジックテープは背面ベルトの下端にくっつき、牽引帯のもう一端はマジックテ
ープに設置された固定リング（アジャスター）に通し、ショルダーベルトの固定リング（
アジャスター）に連結される。
【０００６】
優先的に、上述のマジックテープと連結するところにある固定リング（アジャスター）は
プラスチック製である。
【０００７】
優先的に、上述の調整できる背筋矯正ベルトは、伸長ベルト（伸ばしたベルト、延長可能
なベルト）を含め、その伸長ベルトと牽引帯は取り外すことが可能だという状態で連結す
る。
【０００８】
優先的に、上述の延長帯において、マジックテープを２つ設置する。
【０００９】
優先的に、上述の牽引帯のもう一端において、プラスチック製の連結部を設置する。
【００１０】
本実用新案は、機械縫いの代わりにマジックテープと牽引帯２つ設置する。使用者は自分
の需要によって、使用する時に横向きの高さを調整し、使用者に一番合う大きさを調整す
ることができる。違和感とツッパリ感を減少することができる。また、ショルダーベルト
に固定用リング（アジャスター）を縫い付け、牽引帯はマジックテープ固定用リング（ア
ジャスター）及びショルダーベルト固定用リング（アジャスター）に通すことにより、牽
引帯が歪むことを防げる。本考案は人体工学によって設計され、全ての人の日常生活、運
動、姿勢矯正などに適用される。ダイヤルベルトで着脱を簡単に体が固くてもストレス無
く着用できて継続しやすい構造設計である。猫背、肩こりなどが矯正できる。
【図面の簡単な説明】
【００１１】
【図１】図1は本実用新案の全体構成の見取り図である。
【図２】図2はショルダーベルトとマジックテープの連結部を示す見取り図である。
【図３】図3はショルダーベルトと牽引帯両方の連結を示す見取り図である。
【図４】図4は伸長ベルトの見取り図である。
【図５】図5はショルダーベルトとマジックテープの据付けを示す見取り図である。
【図６】図6は牽引帯とマジックテープの連結部両方の連結を示す見取り図である。
【図７】図7は牽引帯と伸長ベルトの連結を示す見取り図である。
【００１２】
［符号］
1、ショルダーベルト；2、牽引帯；3、マジックテープ；4、背面ベルト；5、ショルダー
ベルトの固定リング（アジャスター）；6、マジックテープの固定リング；7、伸長ベルト
；8、マジックテープの粘着用の毛；9、プラスチック製の連結部
【考案を実施するための形態】
【００１３】
これからは添付の図を用い、本品の実施例を詳しく説明する。使用者は以下の説明のよう
に使用することだけではなく、需要によって様々な方法で実施することが可能である。
【００１４】
本実用新案は一種類の調整できる背筋矯正ベルトを提供する。ショルダーベルト1、牽引
帯2、マジックテープ3、背面ベルト4を含む。ショルダーベルト1は首から左右の背面に伸
び、それぞれ背面ベルト4の上端に連結され、正面で牽引帯の一端に連結される。ショル
ダーベルト1には固定リング（アジャスター）5を備え、サイドスリーブを防ぐ。連結用の
マジックテープ3は背面ベルト4の下端にくっつき、牽引帯2のもう一端はマジックテープ
に設置された固定リング（アジャスター）3に通しショルダーベルトの固定リング（アジ
ャスター）5に連結される。マジックテープの固定リング（アジャスター）はプラスチッ
ク製を第一位の選択とする。
【００１５】
優先的に、上述の調整できる背筋矯正ベルトは伸長ベルト7を含め、連結する時、その伸
長ベルト7と牽引帯2は取り外すことが可能である。優先的に、上述の伸長ベルト7はマジ
ックテープで牽引帯2と連結する。優先的に、伸長ベルト7にマジックテープの粘着用の毛
8が2個設置する。そうすると、伸長ベルト7は本考案の牽引帯が延長できるという原因で
、大きい体型の使用者にとってとても便利である。大きい体型を持つ使用者にとって、短
縮した牽引帯の長さが足りないので、伸長ベルトを増加するという方法を通じて、そのタ
イプの使用者の需要を満足できる。一方、本実用新案の牽引帯を短縮したら、小さい体型
の使用者もうまく使える。
【００１６】
優先的に、使用者がうまく使えるように、上述の牽引帯2の一端にプラスチック製の連結
部9を設置する。
【００１７】
さて、本品の使い方と過程について詳しく説明する。
1.図5を参考してください。連結用のマジックテープ3を取り外し、自分の体型によって、
マジックテープの上、下（位置）を調整する。そうすると、使用する前に、ツッパリ感を
減少し、快適な着用感を増加するために連結用のマジックテープ3を取り外し、自分の体
型によって、3の高さを調整する。
【００１８】
2.図6を参考してください。牽引帯2を連結用のマジックテープ3の固定リング（アジャス
ター）を突き抜け、反方向に引く。
【００１９】
3.牽引帯の歪むことを防ぐために、牽引帯2をショルダーベルトの固定リング（アジャス
ター）5を突き抜ける。
【００２０】
4.使用者は自分のスタイルによって、伸長ベルト7を使用するかどうか、自分で決める。
図の7を参考してください。使用する時、もし伸ばしたベル7は短いと思っているのなら、
伸長ベルトを使う。逆であれば、伸ばしたベル7を使う必要がない。
【００２１】
5.使用者は本品を着けて、自分の需要によって、牽引帯2を調整し、着用を完成する。
総じて、本考案において、背面ベルト４は二つの牽引帯２と別々にする。マジックテープ
で機械縫いに代わる。そうすると、使用者は使用する場合、自分の需要によって、横向き
の部分を調整し、違和感とツッパリ感を減少する。また、ショルダーベルト１に固定リン
グ（アジャスター）５を縫い付け、牽引帯２はマジックテープ固定リング（アジャスター
）６及びショルダーベルト固定リング（アジャスター）５に通すことにより、牽引帯の歪
むことを防げる。男性、女、お年寄り、子供、誰でもいつでも使用できる。猫背、肩こり
なども有効に矯正できる。
【００２２】
以上の内容は本考案の良い実例だけで、本考案唯一の設計ではない。この分野の技術者に
とって、本考案は様々な変化と調整ができる。変化する余地がたくさん残っている。本考
案の精神とルールを基に、全ての変更、代替、改善などは全部本考案の保護範囲の中にあ
るべきである。
【図１】
0003227275.tif 000003
【図２】
0003227275.tif 000004
【図３】
0003227275.tif 000005
【図４】
0003227275.tif 000006
【図５】
0003227275.tif 000007
【図６】
0003227275.tif 000008
【図７】
0003227275.tif 000009
【手続補正書】
【提出日】令和2年5月19日(2020.5.19)
【手続補正１】
【補正対象書類名】実用新案登録請求の範囲
【補正対象項目名】全文
【補正方法】変更
【補正の内容】
【実用新案登録請求の範囲】
【請求項１】
背筋姿勢矯正ベルトであって、ショルダーベルト（1）、牽引帯（2）、面ファスナー（3
）、及び背面ベルト（4）を含み、ショルダーベルト(1)は首から左右の背面に伸びそれぞ
れ背面ベルト（４）の上端に連結され、正面で牽引帯の一端に連結され、ショルダーベル
ト(1)はショルダーベルトの固定リング（５）を備え、面ファスナー(3)は背面ベルト（４
）の下端に付着し、牽引帯（２）の他の一端は面ファスナー（３）に設置された面ファス
ナーの固定リング（６）を通じてショルダーベルトの固定リングに連結されることを特徴
とする背筋姿勢矯正ベルト。
【請求項２】
面ファスナーの固定リング（６）はプラスチック製であることを特徴とする請求項1に記
載の背筋姿勢矯正ベルト。
【請求項３】
背筋姿勢矯正ベルトはさらに伸長ベルト（７）を備え、伸長ベルト（７）は牽引帯（２）
と一緒に取り外し可能な状態で連結されることを特徴とする請求項1に記載の背筋姿勢矯
正ベルト。
【請求項４】
伸長ベルト（７）は面ファスナー（３）を通じて、牽引帯（２）と連結されることを特徴
とする請求項３に記載の背筋姿勢矯正ベルト。
【請求項５】
伸長ベルト（７）は面ファスナーの粘着用の毛（８）を２本備えることを特徴とする請求
項３に記載の背筋姿勢矯正ベルト。
【請求項６】
牽引帯（２）の他の一端にはプラスチック製の連結部が設置されることを特徴とする請求
項1に記載の背筋姿勢矯正ベルト。